(57)【要約】【課題】洗濯物をハンガーに吊り下げまたは取り外すとき、一方の手で洗濯ばさみを、また他方の手で洗濯物を掴んで両手で操作する必要があるため、手が不自由な高齢者等においては洗濯物を吊したり、取り外したりする操作が極めてし辛い。【解決手段】平行な外枠と内枠との間に所用間隔を置いて複数の連結支持桟を配し、これらの連結支持桟群に一連にゴム状弾性材からなる紐状体を緊張状態で複数列平行に互いに近接して張り架けることにより、洗濯物を吊すとき、また洗濯物を取り外すときに、いずれも片手で簡単に操作することができ、かつ全体的に薄くフラットな形態で使用しないときに棚等に収納しやすく、二つ折りのフレームにおいても円滑に開閉でき、折り畳んだ状態も嵩張らずに薄く平坦な状態に保持することができる。【選択図】図１
2006034900.tif 000002
【特許請求の範囲】
【請求項１】
平行な外枠と内枠との間に所用間隔を置いて複数の連結支持桟を配し、これらの連結支持桟群に一連にゴム状弾性材からなる紐状体を緊張状態で複数列平行に互いに近接して張り架けてなることを特徴とする物干し用ハンガー。
【請求項２】
細長帯状のゴム板の長手方向に不連続に切り込みを入れ、この切り込み群を幅方向にも所定間隔を置いて平行に複数列設け、前記ゴム板を前記連結支持桟群上に緊張状態で張り架けてなることを特徴とする物干し用ハンガー。
【発明の詳細な説明】
【技術分野】
【０００１】  本発明は、洗濯物を吊して干すための物干し用ハンガーに関するものである。
【背景技術】
【０００２】  従来の物干し用ハンガーとして、方形のフレームに多数の洗濯ばさみを吊り下げた形態のものが一般に知られており、また二つの方形フレームを回動自在に連結して二つに折り畳めるようにしたものも知られている。
【特許文献１】特開平０７−１２４３８７号公報
【発明の開示】
【発明が解決しようとする課題】
【０００３】  従来の物干し用ハンガーでは、洗濯物をハンガーに吊り下げまたは取り外すとき、一方の手で洗濯ばさみ（ピンチ）を、また他方の手で洗濯物を掴んで両手で操作する必要があるため、手が不自由な高齢者等においては洗濯物を吊したり、取り外したりする操作が極めてし辛いという問題があった。【０００４】  また、洗濯ばさみは互いに絡みやすく、特に二つ折りフレームの場合、折り畳んだ状態で洗濯ばさみ同士が絡み合ってフレームが開き難く、絡んだ洗濯ばさみをはずすのに苦労するなどの問題もあった。【０００５】  さらに、洗濯ばさみがついているので、これらが嵩張ってハンガーを収納するのに不便であった。
【課題を解決するための手段】
【０００６】  この発明は、ハンガーのフレームに互いに近接して平行に張り架けた紐状体間に洗濯物の端部や肩ひもなどを挟み込んで、隣接する紐状体の挟持力により洗濯物を吊すようにした物干し用ハンガーを提案するものである。
【発明の効果】
【０００７】  洗濯物を吊すときには、片手で洗濯物の端部や肩紐（女性用下着や水着等の）などを持って隣接する弾性を有する紐状体間に差し込んで挟み込むことにより吊り下げることができ、また洗濯物を取り外すときには洗濯物を片手で引っ張ってその端部や肩ひもなどを隣接する紐状体から引き出すことにより、いずれも片手で簡単に操作することができ、手の不自由な高齢者などでも洗濯物の吊り下げ、取り外しの操作が可能となる。【０００８】  フレームにはこれと同一平面上に紐状体が張り架けてあるのみで、洗濯ばさみがないので、全体的に薄くフラットな形態で使用しないときに棚等に収納しやすく、二つ折りのフレームにおいても円滑に開閉でき、折り畳んだ状態も嵩張らずに薄く平坦な状態に保持することができる。【０００９】  単線状の紐状体が切れたり、弾性が弱くなった場合に、紐状体を交換して簡単にフレームに取り付けることができる。【００１０】  紐状体の素材として細長帯状のゴム板を用い、その長手方向に不連続に切り込みを入れ、この切り込み群を幅方向にも所定間隔を置いて平行に複数列設け、このゴム板を連結支持桟群上に一連にぴんと張った緊張状態で張り架けることにより、単線状のゴム紐などを用いる場合に比較して簡単に紐状体を一連一体的に構成することができ、切り込みの加工も容易で、物干しハンガーとしての製造を簡易化することができる。
【発明を実施するための最良の形態】
【００１１】  ハンガーのフレームに互いに近接して複数本の紐状体を平行に張り架け、この紐状体間に洗濯物の端部や肩ひもなどを差し込んで隣接する紐状体の弾性復元力（紐状体が真っ直ぐに戻ろうとする力）と紐状体表面の摩擦力により挟持する。
【実施例１】
【００１２】  図１〜図４はこの発明の物干し用ハンガーの第一実施例を示したもので、二つの方形状のフレーム１，１’をヒンジ具２で回動自在に連結し、これらを二つ折りにして二枚重ねに折りたためるように構成したものである。【００１３】  フレーム１，１’は、金属線材または合成樹脂線材からなる平行な外枠１ａと内枠１ｂとの間に所用間隔を置いて複数の連結支持桟１ｃを配したもので、図２の平面図において縦横の連結支持桟１ｃ群に一連に天然ゴム、合成ゴム等のゴム状弾性材からなる紐状体３がぴんと張った緊張状態（真っ直ぐに伸びた状態）で、複数列平行に互いに近接して張り架けられている。【００１４】  この第一実施例では、各紐状体３が連結支持桟１ｃ上を容易に横滑りしないように、横桟１ｃの上側と下側に交互に接触して横から見て波形状を成すように、しかも各紐状体３が１本おきに横桟１ｃの上側と下側に接触する位置をずらして側面から見て隣接する紐状体３，３同士が隣接する横桟１ｃ，１ｃ間においてＸ型に交差状をなすように張り架けられている。【００１５】  このように構成された物干し用ハンガーに洗濯物Ｓを吊り下げるときには、図４に示すように洗濯物Ｓの一端部または女性用下着の肩ひもなどを指で摘んで隣接する紐状体３，３間に差し込み、隣接する紐状体３，３の弾性復元力（紐状体が真っ直ぐに戻ろうとする力）と紐状体３の表面の摩擦力により挟持する。【００１６】  この場合、洗濯物Ｓの端部や肩ひもは外枠１ａまたは内枠１ｂの外側から紐状体３群の上側に廻して上から紐状体３，３間に差し込むようにすると、紐状体３との摩擦力が増して洗濯物Ｓが容易に落ちないように安定して吊り下げることができる。【００１７】  また、洗濯物Ｓの端部や肩ひもを一回紐状体３，３間に通した後、さらにその隣にある紐状体３，３間に通すことにより、挟着力と摩擦力がより増して安定して洗濯物Ｓを吊り下げることができる。【００１８】  このように、紐状体３はその挟持力と摩擦力により洗濯物Ｓを支持するものであるため、その長手方向の引っ張り力が強くて、表面の摩擦抵抗が大きいことが好ましく、いろいろ試用実験を重ねたところ、その素材であるゴム状弾性材としては市販品ではシリコーンゴムのチューブ（なるべく太いものが望ましい）が適していることがわかった。【００１９】  また、紐状体３は洗濯物Ｓを挟持するとき、連結支持桟１ｃ上を横滑りして紐状体３，３が互いに大きく開いてしまうと挟着力を失ってしまうため、この横滑りを防止するためには、連結支持桟１ｃに各紐状体３を係合する溝や各紐状体３を通す小さなリングを設けたり、あるいは紐状体３を連結支持桟１ｃに接着剤を用いて接着するなどの手段を講じることが望ましい。【００２０】  なお、フレーム１は折り曲げできない一体型に成形することができる。【００２１】  また、フレーム１，１’を方形ではなく楕円形または円形とし、これを一体型あるいは二つ折り型に成形することができる。【００２２】  図５〜図７はこの発明の第二実施例を示したもので、紐状体３を一連一体的に形成するために、その素材として細長帯状のゴム板（シリコーンゴムが望ましい）４を用い、その長手方向に不連続に切り込み５を入れ、この切り込み５群を幅方向に��所定間隔を置いて平行に複数列設けることにより、この切り込み５を介してその左右に紐状体３，３を構成するようにしたものである。【００２３】  このゴム板４は連結支持桟１ｃ群上に一連にぴんと張った緊張状態で張り架けて接着剤やクリップ状の狭着具などで両端の連結支持桟１ｃ，１ｃに取り付けることで、単線状のゴム紐などを用いる場合に比較して簡単に紐状体３を一連一体的に構成することができ、切り込みの加工も容易で、この発明の物干しハンガーとしての製造を簡易化することができる。【００２４】  この切り込み５の両端には小さな円形穴５’をくり抜いて、容易に裂けることを防止することが望ましい。【００２５】  この第二実施例のように構成された物干し用ハンガーに洗濯物Ｓを吊り下げるときには、上記第一実施例と同様に洗濯物Ｓの一端部または女性用下着の肩ひもなどを指で摘んで隣接する紐状体３，３間に差し込み、隣接する紐状体３，３の弾性復元力（紐状体が真っ直ぐに戻ろうとする力）と紐状体３の表面の摩擦力により挟持する。この使用状態を図４に示す。【００２６】  以上の構成において、紐状体３に吊り下げた洗濯物Ｓを取り外すときには、洗濯物Ｓを手で掴んで下に引き下げることにより、極めて簡単に取り外すことができる。
【産業上の利用可能性】
【００２７】  手の不自由な高齢者等においても洗濯物の吊り下げ及び取り外しを容易とする物干しハンガーを提供することができる。
【図面の簡単な説明】
【００２８】
【図１】この発明の第一実施例を示す平面図である。（実施例１）
【図２】この発明の第一実施例を示す側面図である。
【図３】この発明の第一実施例を示す使用状態の斜視図である。
【図４】この発明の第一実施例における洗濯物の吊り下げ状態を示す縦断正面図である。
【図５】この発明の第二実施例の他のを示す部分平面図である。（実施例２）
【図６】この発明の第二実施例に用いるゴム版の平面図である。
【図７】この発明の第二実施例における洗濯物の吊り下げ状態を示す縦断正面図である。
【符号の説明】
【００２９】  １    フレーム
１’  フレーム
１ａ  外枠
１ｂ  内枠
１ｃ  連結支持桟
２    ヒンジ具
３    紐状体
４    ゴム板
５    切り込み
５’  円形穴
Ｓ    洗濯物
【図１】
2006034900.tif 000003
【図２】
2006034900.tif 000004
【図３】
2006034900.tif 000005
【図４】
2006034900.tif 000006
【図５】
2006034900.tif 000007
【図６】
2006034900.tif 000008
【図７】
2006034900.tif 000009